(57)【要約】【課題】テレビ放送を受信している際に、ユーザが視認できるタイミングでユーザが必要とする情報を表示可能な情報処理装置を提供する。【解決手段】情報処理装置２００は、携帯端末装置１００から通知情報を受信するアンテナ２０４および無線信号処理部２０５と、通知情報を記憶装置２０８に格納する格納処理部２１３と、テレビ放送を受信するアンテナ２０１およびテレビチューナ２０２と、受信したテレビ放送を表示装置２０６に表示させる表示制御部２１１と、携帯端末装置１００と近距離通信によって接続されているか否かを判断する第１判断部２１２と、テレビ放送の内容が予め定められた条件を満たしたか否かを判断する第２判断部２１５とを備える。携帯端末装置１００と接続されていると判断され、かつ上記条件を満たしたと判断された場合、表示制御部２１１は、通知情報に基づく画像を表示装置２０８に表示させる。【選択図】図６
2010268297.tif 000002
【特許請求の範囲】
【請求項１】
外部機器から第１情報を受信する第１受信手段と、
前記第１情報を記憶装置に格納する格納手段と、
テレビ放送を受信する第２受信手段と、
前記受信したテレビ放送を表示装置に表示させる表示制御手段と、
前記外部機器と近距離通信によって接続されているか否かを判断する第１判断手段と、
前記テレビ放送の内容が予め定められた第１条件を満たしたか否かを判断する第２判断手段とを備え、
前記外部機器と接続されていると判断され、かつ前記第１条件を満たしたと判断されたことに基づき、前記表示制御手段は、前記記憶装置に格納された前記第１情報に基づく第１画像を前記表示装置に表示させる、情報処理装置。
【請求項２】
前記情報処理装置は、複数の前記外部機器と通信を行い、
前記第１受信手段は、各外部機器について、当該外部機器から前記第１情報と当該外部機器を識別するための第２情報とをさらに受信し、
前記格納手段は、前記第２情報を前記第１情報に関連付けて前記記憶装置に格納し、
前記情報処理装置は、
前記情報処理装置と接続されている前記外部機器の前記第２情報に関連付けられた前記第１情報を、前記記憶装置から読み出す読出手段をさらに備え、
前記表示制御手段は、前記読み出された前記第１情報に基づく第１画像を前記表示装置に表示させる、請求項１に記載の情報処理装置。
【請求項３】
前記テレビ放送の内容が前記第１条件を満たしたとは、前記表示装置に表示されている前記テレビ放送の番組が終了したことである、請求項１または２に記載の情報処理装置。
【請求項４】
前記情報処理装置は、現在の時刻を示す時刻情報を生成するタイマをさらに備え、
前記第２判断手段は、前記番組が終了したか否かを、前記時刻情報と、前記記憶装置に予め格納された電子番組表ガイドとに基づいて判断する、請求項３に記載の情報処理装置。
【請求項５】
前記テレビ放送の内容が前記第１条件を満たしたとは、前記テレビ放送におけるコマーシャルが前記表示装置に表示されたことである、請求項１または２に記載の情報処理装置。
【請求項６】
外部機器から第１情報を受信する第１受信手段と、
前記第１情報を記憶装置に格納する格納手段と、
テレビ放送と電子番組表ガイドとを受信する第２受信手段と、
前記受信したテレビ放送を表示装置に表示させる表示制御手段と、
前記外部機器と近距離通信によって接続されているか否かを判断する第１判断手段と、
現在の時刻を示す時刻情報を生成するタイマと、
前記電子番組表ガイドに基づいて、現在の時刻が予め定められた第１条件を満たしたか否かを判断する第２判断手段とを備え、
前記外部機器と接続されていると判断され、かつ前記第１条件を満たしたと判断されたことに基づき、前記表示制御手段は、前記記憶装置に格納された前記第１情報に基づく第１画像を前記表示装置に表示させる、情報処理装置。
【請求項７】
前記予め定められた第１条件とは、前記表示装置に表示されている前記テレビ放送の番組が終了する時刻である、請求項６に記載の情報処理装置。
【請求項８】
前記外部機器と接続されていると判断され、かつ前記第１条件を満たしたと判断された場合、前記表示制御手段は、前記第１情報に基づく第１画像を前記表示装置に表示させるか否かの選択を入力装置を介して受け付けるための第２画像を前記表示装置に表示させ、
前記情報処理装置は、
前記選択を受け付けないことを示す指示を受け付けたことに基づき、予め定められた第２条件を満たしたか否かを判断する第３判断手段をさらに備え、
前記外部機器と接続されていると判断され、かつ前記第１条件を満たしたと判断された場合において、前記第２条件を満たしたときに、前記表示制御手段は、前記第２画像を再度、前記表示装置に表示させる、請求項１から７のいずれかに記載の情報処理装置。
【請求項９】
前記第２条件は、前記選択を受け付けないことを示す指示を受け付けたときから、予め定められた時間が経過したことである、請求項８に記載の情報処理装置。
【請求項１０】
外部機器から第１情報を受信する第１受信手段と、
前記第１情報を記憶装置に格納する格納手段と、
テレビ放送を受信する第２受信手段と、
前記受信したテレビ放送を表示装置に表示させる表示制御手段と、
前記外部機器と近距離通信によって接続されているか否かを判断する第１判断手段と、
入力装置を介して予め定められた指示を受け付けたか否かを判断する第２判断手段とを備え、
前記外部機器と接続されていると判断され、かつ前記予め定められた指示を受け付けたと判断されたことに基づき、前記表示制御手段は、前記記憶装置に格納された前記第１情報に基づく第１画像を前記表示装置に表示させる、情報処理装置。
【請求項１１】
前記情報処理装置は、複数の前記外部機器と通信を行い、
前記第１受信手段は、各外部機器について、当該外部機器から前記第１情報と当該外部機器を識別するための第２情報とをさらに受信し、
前記格納手段は、前記第２情報を前記第１情報に関連付けて前記記憶装置に格納し、
前記情報処理装置は、
前記情報処理装置と接続されている前記外部機器の前記第２情報に関連付けられた前記第１情報を、前記記憶装置から読み出す読出手段をさらに備え、
前記表示制御手段は、前記読み出された前記第１情報に基づく第１画像を前記表示装置に表示させる、請求項１０に記載の情報処理装置。
【請求項１２】
前記第２判断手段は、前記テレビ放送が表示されている際に、入力装置を介して予め定められた指示を受け付けたか否かを判断し、
前記予め定められた指示とは、現在の前記テレビ放送のチャンネルを、他のチャンネルに切換える指示である、請求項１０または１１に記載の情報処理装置。
【請求項１３】
前記予め定められた指示とは、前記情報処理装置の電源をオンするための指示、あるいは前記電源をオフするための指示である請求項１０または１１に記載の情報処理装置。
【請求項１４】
前記外部機器と接続されていると判断され、かつ前記予め定められた指示を受け付けたと判断された場合、前記表示制御手段は、前記第１情報に基づく第１画像を前記表示装置に表示させるか否かの選択を入力装置を介して受け付けるための第２画像を前記表示装置に表示させ、
前記情報処理装置は、
前記選択を受け付けないことを示す指示を受け付けたことに基づき、予め定められた条件を満たしたか否かを判断する第３判断手段をさらに備え、
前記外部機器と接続されていると判断され、かつ前記予め定められた指示を受け付けたと判断された場合において、前記条件を満たしたときに、前記表示制御手段は、前記第２画像を再度、前記表示装置に表示させる、請求項１０から１３のいずれかに記載の情報処理装置。
【請求項１５】
前記条件は、前記選択を受け付けないことを示す指示を受け付けたときから、予め定められた時間が経過したことである、請求項１４に記載の情報処理装置。
【請求項１６】
前記情報処理装置は、
ネットワークを介して、前記第１情報に基づいた第３情報を取得する取得手段をさらに備え、
前記第３情報を取得した場合、前記表示制御手段は、前記第１情報に基づく第１画像として前記第３情報に基づく第３画像を、前記表示装置に表示させる、請求項１から１５のいずれかに記載の情報処理装置。
【請求項１７】
前記第３情報を取得した場合、前記表示制御手段は、前記第１判断手段による前記判断と前記第２判断手段による前記判断に関わらず、前記第３情報に基づく第３画像を前記表示装置に表示させる、請求項１６に記載の情報処理装置。
【請求項１８】
端末装置と、情報処理装置とを備えた通信システムであって、
前記端末装置は、第１記憶装置に格納された情報を、前記情報処理装置に送信する送信手段を含み、
前記情報処理装置は、
前記端末装置から前記情報を受信する第１受信手段と、
前記情報を第２記憶装置に格納する格納手段と、
テレビ放送を受信する第２受信手段と、
前記受信したテレビ放送を表示装置に表示させる表示制御手段と、
前記端末装置と近距離通信によって接続されているか否かを判断する第１判断手段と、
前記テレビ放送の内容が予め定められた条件を満たしたか否かを判断する第２判断手段とを含み、
前記端末装置と接続されていると判断され、かつ前記条件を満たしたと判断されたことに基づき、前記表示制御手段は、前記第２記憶装置に格納された前記情報に基づく画像を前記表示装置に表示させる、通信システム。
【請求項１９】
端末装置と、情報処理装置とを備えた通信システムであって、
前記端末装置は、第１記憶装置に格納された情報を、前記情報処理装置に送信する送信手段を含み、
前記情報処理装置は、
前記端末装置から前記情報を受信する第１受信手段と、
前記情報を第２記憶装置に格納する格納手段と、
テレビ放送と電子番組表ガイドとを受信する第２受信手段と、
前記受信したテレビ放送を表示装置に表示させる表示制御手段と、
前記端末装置と近距離通信によって接続されているか否かを判断する第１判断手段と、
現在の時刻を示す時刻情報を生成するタイマと、
前記電子番組表ガイドに基づいて、現在の時刻が予め定められた条件を満たしたか否かを判断する第２判断手段とを備え、
前記端末装置と接続されていると判断され、かつ前記条件を満たしたと判断されたことに基づき、前記表示制御手段は、前記第２記憶装置に格納された前記情報に基づく画像を前記表示装置に表示させる、通信システム。
【請求項２０】
端末装置と、情報処理装置とを備えた通信システムであって、
前記端末装置は、第１記憶装置に格納された情報を、前記情報処理装置に送信する送信手段を含み、
前記情報処理装置は、
前記端末装置から前記情報を受信する第１受信手段と、
前記情報を第２記憶装置に格納する格納手段と、
テレビ放送を受信する第２受信手段と、
前記受信したテレビ放送を表示装置に表示させる表示制御手段と、
前記端末装置と近距離通信によって接続されているか否かを判断する第１判断手段と、
入力装置を介して予め定められた指示を受け付けたか否かを判断する第２判断手段と、
前記端末装置と接続されていると判断され、かつ前記予め定められた指示を受け付けたと判断されたことに基づき、前記表示制御手段は、前記第２記憶装置に格納された前記情報に基づく画像を前記表示装置に表示させる、通信システム。
【請求項２１】
外部機器から情報を受信するステップと、
前記情報を記憶装置に格納するステップと、
テレビ放送を受信するステップと、
前記受信したテレビ放送を表示装置に表示させるステップと、
前記外部機器と近距離通信によって接続されているか否かを判断するステップと、
前記テレビ放送の内容が予め定められた条件を満たしたか否かを判断するステップと、
前記外部機器と接続されていると判断され、かつ前記条件を満たしたと判断されたことに基づき、前記記憶装置に格納された前記情報に基づく画像を前記表示装置に表示させるステップとを備える、表示制御方法。
【請求項２２】
外部機器から情報を受信するステップと、
前記情報を記憶装置に格納するステップと、
テレビ放送と電子番組表ガイドとを受信するステップと、
前記受信したテレビ放送を表示装置に表示させるステップと、
前記外部機器と近距離通信によって接続されているか否かを判断するステップと、
現在の時刻を示す時刻情報を生成するステップと、
前記電子番組表ガイドに基づいて、現在の時刻が予め定められた条件を満たしたか否かを判断するステップと、
前記外部機器と接続されていると判断され、かつ前記条件を満たしたと判断されたことに基づき、前記記憶装置に格納された前記情報に基づく画像を前記表示装置に表示させるステップとを備える、表示制御方法。
【請求項２３】
外部機器から情報を受信するステップと、
前記情報を記憶装置に格納するステップと、
テレビ放送を受信するステップと、
前記受信したテレビ放送を表示装置に表示させるステップと、
前記外部機器と近距離通信によって接続されているか否かを判断するステップと、
入力装置を介して予め定められた指示を受け付けたか否かを判断するステップと、
前記外部機器と接続されていると判断され、かつ前記予め定められた指示を受け付けたと判断されたことに基づき、前記記憶装置に格納された前記情報に基づく画像を前記表示装置に表示させるステップとを備える、表示制御方法。
【発明の詳細な説明】
【技術分野】
【０００１】
テレビ放送を受信可能な情報処理装置、当該情報処理装置における表示制御方法、および当該情報処理装置を備えた通信システムに関する。
【背景技術】
【０００２】
従来、ＥＰＧ（Electronic Program Guide）などに代表される電子番組表の電子データを受信可能なテレビジョンが知られている。たとえば、特許文献１には、視聴番組の切換えが発生したときに、以下の処理を行なう放送番組受信装置が開示されている。当該放送番組受信装置は、電子番組表の電子データに基づき番組表データベースを構築する。次に、放送番組受信装置は、番組表データベースを基に、自動的に、その番組の内容の詳細などの番組情報をＷｅｂより取得する。放送番組受信装置は、当該取得した番組情報を表示デバイスに表示する。
【０００３】
また、従来、各ユーザ端末に電子メールの着信通知を行なう着信報知システムが知られている。たとえば、特許文献２には、所定の時間間隔でユーザのメールボックスを参照して新規電子メールの着信があるか否かを判定する着信報知システムが開示されている。当該着信報知システムは、新規電子メールの着信があったと判定した場合、上記ユーザの端末に対して当該新規電子メールの着信を通知する。さらに、当該着信報知システムは、新規電子メールの着信頻度に応じて上記所定の時間間隔が設定可能な構成である。
【０００４】
また、従来、広告情報を取得するとともに、当該取得した広告情報を表示可能な電子機器が知られている。たとえば、特許文献３には、１つの広告情報の取得と、当該取得した広告情報の表示とをそれぞれ異なるタイミングで行なう携帯電話端末が開示されている。当該携帯電話端末は、ユーザがメールの送信を開始した時点からメールの送信が完了するまでの時間帯に、広告情報を表示する。あるいは、携帯電話端末は、ユーザがＷｅｂ接続を開始した時点からＷｅｂデータが表示されるまでの時間帯に、広告情報を表示する。
【先行技術文献】
【特許文献】
【０００５】
【特許文献１】特開２００４−３１２２２３号公報
【特許文献２】特開平１１−２８４６５２号公報
【特許文献３】特開２００６−４７５６５号公報
【発明の概要】
【発明が解決しようとする課題】
【０００６】
しかしながら、特許文献１の放送番組受信装置は、視聴番組の切換えが発生した場合、Ｗｅｂから取得した番組情報しか表示できない。
【０００７】
また、特許文献２の着信報知システムは、予め定められた時間間隔あるいは設定された時間間隔で新規電子メールの着信があるか否かを判断する。しかしながら、上記新規電子メールの着信通知を端末装置が受けたときに、ユーザが端末装置の傍にいるとは限らない。
【０００８】
また、特許文献３の携帯電話端末は、ユーザが手持ち無沙汰になる時間帯に広告を表示することによって、効率の良い広告表示を行なおうとしている。しかしながら、表示される広告は、ユーザにとって必要な情報とは限らない。
【０００９】
本願発明は上記問題点に鑑みなされたものであって、その目的は、テレビ放送を受信している際に、ユーザが視認できるタイミングでユーザが必要とする情報を表示可能な情報処理装置、当該情報処理装置における表示制御方法、および当該情報処理装置を備えた通信システムを提供することにある。
【００１０】
他の目的は、テレビ放送を受信している際に、番組の視聴を妨げないタイミングでユーザが必要とする情報を表示可能な情報処理装置、当該情報処理装置における表示制御方法、および当該情報処理装置を備えた通信システムを提供することにある。
【課題を解決するための手段】
【００１１】
本発明のある局面に従うと、情報処理装置は、外部機器から第１情報を受信する第１受信手段と、第１情報を記憶装置に格納する格納手段と、テレビ放送を受信する第２受信手段と、受信したテレビ放送を表示装置に表示させる表示制御手段と、外部機器と近距離通信によって接続されているか否かを判断する第１判断手段と、テレビ放送の内容が予め定められた第１条件を満たしたか否かを判断する第２判断手段とを備える。外部機器と接続されていると判断され、かつ第１条件を満たしたと判断されたことに基づき、表示制御手段は、記憶装置に格納された第１情報に基づく第１画像を表示装置に表示させる。
【００１２】
好ましくは、情報処理装置は、複数の前記外部機器と通信を行う。第１受信手段は、各外部機器について、当該外部機器から第１情報と当該外部機器を識別するための第２情報とをさらに受信する。格納手段は、第２情報を第１情報に関連付けて記憶装置に格納する。情報処理装置は、情報処理装置と接続されている外部機器の第２情報に関連付けられた第１情報を、記憶装置から読み出す読出手段をさらに備える。表示制御手段は、読み出された第１情報に基づく第１画像を表示装置に表示させる。
【００１３】
好ましくは、テレビ放送の内容が第１条件を満たしたとは、表示装置に表示されているテレビ放送の番組が終了したことである。
【００１４】
好ましくは、情報処理装置は、現在の時刻を示す時刻情報を生成するタイマをさらに備える。第２判断手段は、番組が終了したか否かを、時刻情報と、記憶装置に予め格納された電子番組表ガイドとに基づいて判断する。
【００１５】
好ましくは、テレビ放送の内容が第１条件を満たしたとは、テレビ放送におけるコマーシャルが表示装置に表示されたことである。
【００１６】
本発明の他の局面に従うと、情報処理装置は、外部機器から第１情報を受信する第１受信手段と、第１情報を記憶装置に格納する格納手段と、テレビ放送と電子番組表ガイドとを受信する第２受信手段と、受信したテレビ放送を表示装置に表示させる表示制御手段と、外部機器と近距離通信によって接続されているか否かを判断する第１判断手段と、現在の時刻を示す時刻情報を生成するタイマと、電子番組表ガイドに基づいて、現在の時刻が予め定められた第１条件を満たしたか否かを判断するする第２判断手段とを備える。外部機器と接続されていると判断され、かつ第１条件を満たしたと判断されたことに基づき、表示制御手段は、記憶装置に格納された第１情報に基づく第１画像を表示装置に表示させる。
【００１７】
好ましくは、第１条件とは、表示装置に表示されているテレビ放送の番組が終了する時刻である。
【００１８】
好ましくは、外部機器と接続されていると判断され、かつ第１条件を満たしたと判断された場合、表示制御手段は、第１情報に基づく第１画像を表示装置に表示させるか否かの選択を入力装置を介して受け付けるための第２画像を前記表示装置に表示させる。情報処理装置は、選択を受け付けないことを示す指示を受け付けたことに基づき、予め定められた第２条件を満たしたか否かを判断する第３判断手段をさらに備える。外部機器と接続されていると判断され、かつ第１条件を満たしたと判断された場合において、第２条件を満たしたときに、表示制御手段は、第２画像を再度、表示装置に表示させる。
【００１９】
好ましくは、第２条件は、選択を受け付けないことを示す指示を受け付けたときから、予め定められた時間が経過したことである。
【００２０】
本発明のさらに他の局面に従うと、情報処理装置は、外部機器から第１情報を受信する第１受信手段と、第１情報を記憶装置に格納する格納手段と、テレビ放送を受信する第２受信手段と、受信したテレビ放送を表示装置に表示させる表示制御手段と、外部機器と近距離通信によって接続されているか否かを判断する第１判断手段と、入力装置を介して予め定められた指示を受け付けたか否かを判断する第２判断手段とを備える。外部機器と接続されていると判断され、かつ予め定められた指示を受け付けたと判断されたことに基づき、表示制御手段は、記憶装置に格納された第１情報に基づく第１画像を表示装置に表示させる。
【００２１】
好ましくは、情報処理装置は、複数の前記外部機器と通信を行う。第１受信手段は、各外部機器について、当該外部機器から第１情報と当該外部機器を識別するための第２情報とをさらに受信する。格納手段は、第２情報を第１情報に関連付けて記憶装置に格納する。情報処理装置は、情報処理装置と接続されている外部機器の第２情報に関連付けられた第１情報を、記憶装置から読み出す読出手段をさらに備える。表示制御手段は、読み出された第１情報に基づく第１画像を表示装置に表示させる。
【００２２】
好ましくは、第２判断手段は、テレビ放送が表示されている際に、入力装置を介して予め定められた指示を受け付けたか否かを判断する。予め定められた指示とは、現在のテレビ放送のチャンネルを、他のチャンネルに切換える指示である。
【００２３】
好ましくは、予め定められた指示とは、情報処理装置の電源をオンするための指示、あるいは電源をオフするための指示である。
【００２４】
好ましくは、外部機器と接続されていると判断され、かつ予め定められた指示を受け付けたと判断された場合、表示制御手段は、第１情報に基づく第１画像を表示装置に表示させるか否かの選択を入力装置を介して受け付けるための第２画像を表示装置に表示させる。情報処理装置は、選択を受け付けないことを示す指示を受け付けたことに基づき、予め定められた条件を満たしたか否かを判断する第３判断手段をさらに備える。外部機器と接続されていると判断され、かつ予め定められた指示を受け付けたと判断された場合において、条件を満たしたときに、表示制御手段は、第２画像を再度、表示装置に表示させる。
【００２５】
好ましくは、条件は、選択を受け付けないことを示す指示を受け付けたときから、予め定められた時間が経過したことである。
【００２６】
好ましくは、情報処理装置は、ネットワークを介して、前記第１情報に基づいた第３情報を取得する取得手段をさらに備える。第３情報を取得した場合、表示制御手段は、第１情報に基づく第１画像として第３情報に基づく第３画像を、表示装置に表示させる。
【００２７】
好ましくは、第３情報を取得した場合、表示制御手段は、第１判断手段による判断と第２判断手段による判断に関わらず、第３情報に基づく第３画像を表示装置に表示させる。
【００２８】
本発明のさらに他の局面に従うと、通信システムは、端末装置と、情報処理装置とを備えた通信システムである。端末装置は、第１記憶装置に格納された情報を、情報処理装置に送信する送信手段を含む。情報処理装置は、端末装置から情報を受信する第１受信手段と、情報を第２記憶装置に格納する格納手段と、テレビ放送を受信する第２受信手段と、受信したテレビ放送を表示装置に表示させる表示制御手段と、端末装置と近距離通信によって接続されているか否かを判断する第１判断手段と、テレビ放送の内容が予め定められた条件を満たしたか否かを判断する第２判断手段とを含む。端末装置と接続されていると判断され、かつ条件を満たしたと判断されたことに基づき、表示制御手段は、第２記憶装置に格納された情報に基づく画像を表示装置に表示させる。
【００２９】
本発明のさらに他の局面に従うと、通信システムは、端末装置と、情報処理装置とを備えた通信システムである。端末装置は、第１記憶装置に格納された情報を、情報処理装置に送信する送信手段を含む。情報処理装置は、端末装置から情報を受信する第１受信手段と、情報を第２記憶装置に格納する格納手段と、テレビ放送と電子番組表ガイドとを受信する第２受信手段と、受信したテレビ放送を表示装置に表示させる表示制御手段と、端末装置と近距離通信によって接続されているか否かを判断する第１判断手段と、現在の時刻を示す時刻情報を生成するタイマと、電子番組表ガイドに基づいて、現在の時刻が予め定められた条件を満たしたか否かを判断する第２判断手段とを備え、端末装置と接続されていると判断され、かつ条件を満たしたと判断されたことに基づき、表示制御手段は、第２記憶装置に格納された情報に基づく画像を前記表示装置に表示させる。
【００３０】
本発明のさらに他の局面に従うと、通信システムは、端末装置と、情報処理装置とを備えた通信システムである。端末装置は、第１記憶装置に格納された情報を、情報処理装置に送信する送信手段を含む。情報処理装置は、端末装置から情報を受信する第１受信手段と、情報を第２記憶装置に格納する格納手段と、テレビ放送を受信する第２受信手段と、受信したテレビ放送を表示装置に表示させる表示制御手段と、端末装置と近距離通信によって接続されているか否かを判断する第１判断手段と、入力装置を介して予め定められた指示を受け付けたか否かを判断する第２判断手段と、端末装置と接続されていると判断され、かつ予め定められた指示を受け付けたと判断されたことに基づき、表示制御手段は、第２記憶装置に格納された情報に基づく画像を表示装置に表示させる。
【００３１】
本発明のさらに他の局面に従うと、表示制御方法は、外部機器から情報を受信するステップと、情報を記憶装置に格納するステップと、テレビ放送を受信するステップと、受信したテレビ放送を表示装置に表示させるステップと、外部機器と近距離通信によって接続されているか否かを判断するステップと、テレビ放送の内容が予め定められた条件を満たしたか否かを判断するステップと、外部機器と接続されていると判断され、かつ条件を満たしたと判断されたことに基づき、記憶装置に格納された情報に基づく画像を表示装置に表示させるステップとを備える。
【００３２】
本発明のさらに他の局面に従うと、表示制御方法は、外部機器から情報を受信するステップと、情報を記憶装置に格納するステップと、テレビ放送と電子番組表ガイドとを受信するステップと、受信したテレビ放送を表示装置に表示させるステップと、外部機器と近距離通信によって接続されているか否かを判断するステップと、現在の時刻を示す時刻情報を生成するステップと、電子番組表ガイドに基づいて、現在の時刻が予め定められた条件を満たしたか否かを判断するするステップと、外部機器と接続されていると判断され、かつ条件を満たしたと判断されたことに基づき、記憶装置に格納された情報に基づく画像を表示装置に表示させるステップとを備える。
【００３３】
本発明のさらに他の局面に従うと、表示制御方法は、外部機器から情報を受信するステップと、情報を記憶装置に格納するステップと、テレビ放送を受信するステップと、受信したテレビ放送を表示装置に表示させるステップと、外部機器と近距離通信によって接続されているか否かを判断するステップと、入力装置を介して予め定められた指示を受け付けたか否かを判断するステップと、外部機器と接続されていると判断され、かつ予め定められた指示を受け付けたと判断されたことに基づき、記憶装置に格納された情報に基づく画像を表示装置に表示させるステップとを備える。
【発明の効果】
【００３４】
テレビ放送を受信している際に、ユーザが視認できるタイミングでユーザが必要とする情報を表示可能となるといった効果を奏する。また、テレビ放送を受信している際に、番組の視聴を妨げないタイミングでユーザが必要とする情報を表示可能となるといった効果を奏する。
【図面の簡単な説明】
【００３５】
【図１】通信システムの概略構成を示した図である。
【図２】情報処理装置として機能するコンピュータシステムのハードウェア構成を表わすブロック図である。
【図３】携帯端末装置のブロックを示した図である。
【図４】エディタの編集画面を示した図である。
【図５】エディタにより作成されたファイルを一覧表示した状態を示した図である。
【図６】情報処理装置のブロックを示した図である。
【図７】記憶装置に格納されるファイルの概要を示した図である。
【図８】テレビ放送を表示装置に表示させている状態において、第１判断部から判断結果と携帯端末ＩＤとを受け付た際に、表示装置において表示される画面である。
【図９】図８の状態において入力装置を介してオブジェクトが選択された際に、表示装置において表示される画面である。
【図１０】図９の状態において入力装置を介して選択項目が選択された際に、表示装置において表示される画面である。
【図１１】情報処理装置における処理の流れを示したフローチャートである。
【図１２】情報処理装置における処理の流れを示したフローチャートである。
【図１３】他の情報処理装置のブロックを示した図である。
【図１４】他のファイルの概要を示した図である。
【図１５】さらに他のファイルの概要を示した図である。
【図１６】ファイルの他の概要を示した図である。
【図１７】さらに他の情報処理装置のブロックを示した図である。
【図１８】さらに他のファイルの概要を示した図である。
【図１９】動作コマンドの概要を示した図である。
【図２０】他の実施の形態に係る通信システムの概略構成を示した図である。
【図２１】他の実施の形態に係る情報処理装置のブロック図である。
【図２２】他の実施の形態に係る情報処理装置における処理の流れを示したフローチャートである。
【発明を実施するための形態】
【００３６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３７】
〔実施の形態１〕
本発明に係る通信システムの一実施態様について、図１から図１９を参照して説明すると以下のとおりである。
【００３８】
図１は、通信システム１の概略構成を示した図である。図１を参照して、通信システム１は、携帯端末装置１００と、情報処理装置２００とを含む。なお、通信システム１は、図示していないが、複数の携帯端末装置１００を含む。
【００３９】
携帯端末装置１００は、情報処理装置２００との間で通信を行なう。携帯端末装置１００は、表示装置１０４と入力装置１０５とを備える。携帯端末装置１００は、入力装置１０５によって入力されたデータを記憶する。また、携帯端末装置１００は、当該入力されたデータを表示装置１０４に表示する。携帯端末装置１００は、たとえば、携帯電話機、ＰＤＡ（Personal Digital Assistant）である。なお、携帯端末装置１００が有する他の機能については、後述する。
【００４０】
情報処理装置２００は、表示装置２０６と入力装置２０７とを備える。情報処理装置２００は、テレビ放送を受信する。情報処理装置２００は、受信したテレビ放送を表示装置２０６に表示する。情報処理装置２００は、たとえば、テレビチューナ内蔵のパーソナルコンピュータである。なお、情報処理装置２００が有する他の機能については、後述する。
【００４１】
図２は、情報処理装置２００として機能するコンピュータシステム２０００のハードウェア構成を表わすブロック図である。
【００４２】
コンピュータシステム２０００は、主たる構成要素として、プログラムを実行するＣＰＵ２０１０と、コンピュータシステム２０００の使用者による指示の入力を受けるマウス２０２０およびキーボード２０３０と、ＣＰＵ２０１０によるプログラムの実行により生成されたデータ、又はマウス２０２０若しくはキーボード２０３０を介して入力されたデータを揮発的に格納するＲＡＭ２０４０と、データを不揮発的に格納するハードディスク２０５０と、ＤＶＤ−ＲＯＭ駆動装置２０６０と、モニタ２０７０と、通信ＩＦ２０８０とを含む。各構成要素は、相互にデータバスによって接続されている。ＤＶＤ−ＲＯＭ駆動装置２０６０には、ＤＶＤ−ＲＯＭ２０６１が装着される。
【００４３】
なお、表示装置２０６がモニタ２０７０に対応する。入力装置２０７がキーボード２０３０に対応する。ＲＡＭ２０４０およびハードディスク２０５０が、後述する記憶装置（図６参照）に対応する。
【００４４】
コンピュータシステム２０００における処理は、各ハードウェアおよびＣＰＵ２０１０により実行されるソフトウェアによって実現される。このようなソフトウェアは、ハードディスク２０５０に予め記憶されている場合がある。また、ソフトウェアは、ＤＶＤ−ＲＯＭ２０６１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＤＶＤ−ＲＯＭ駆動装置２０６０その他の読取装置によりその記憶媒体から読み取られて、あるいは、通信ＩＦ２０８０を介してダウンロードされた後、ハードディスク２０５０に一旦格納される。そのソフトウェアは、ＣＰＵ２０１０によってハードディスク２０５０から読み出され、ＲＡＭ２０４０に実行可能なプログラムの形式で格納される。ＣＰＵ２０１０は、そのプログラムを実行する。
【００４５】
同図に示されるコンピュータシステム２０００を構成する各構成要素は、一般的なものである。したがって、本発明の本質的な部分は、ＲＡＭ２０４０、ハードディスク２０５０、ＤＶＤ−ＲＯＭ２０６１その他の記憶媒体に格納されたソフトウェア、あるいはネットワークを介してダウンロード可能なソフトウェアであるともいえる。なお、コンピュータシステム２０００の各ハードウェアの動作は周知であるので、詳細な説明は繰り返さない。
【００４６】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを含む）、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。
【００４７】
ここでいうプログラムとは、ＣＰＵにより直接実行可能なプログラムだけでなく、ソースプログラム形式のプログラム、圧縮処理されたプログラム、暗号化されたプログラム等を含む。
【００４８】
なお、携帯端末装置１００は、マウス２０２０、ハードディスク２０５０、およびＤＶＤ−ＲＯＭ駆動装置２０６０を備えてない以外は、情報処理装置２００と同様なハードウェア構成を有するため、携帯端末装置１００のハードウェア構成についての説明は繰り返さない。
【００４９】
図３は、携帯端末装置１００のブロックを示した図である。図３を参照して、携帯端末装置１００は、アンテナ１０１と、無線信号処理部１０２と、制御部１０３と、表示装置１０４と、入力装置１０５と、記憶装置１０６とを備える。
【００５０】
アンテナ１０１は、無線信号の送信および受信に用いられる。無線信号処理部１０２は、アンテナ１０１を介して受信した無線信号に対して信号処理を行なう。無線信号処理部１０２は、当該信号処理後のデータを制御部１０３に送る。また、無線信号処理部１０２は、制御部１０３から受け付けたデータに対して信号処理を行なう。無線信号処理部１０２は、当該信号処理後のデータをアンテナ１０１を介して、他の装置に送信する。本実施の形態では、携帯端末装置１００は、アンテナ１０１および無線信号処理部１０２により、少なくとも情報処理装置２００と通信を行なうものとする。
【００５１】
以下では、アンテナ１０１および無線信号処理部１０２が近距離通信に用いられる部材であるとして説明する。なお、携帯端末装置１００が携帯電話機である場合には、携帯電話機の基地局と通信を行なうために、アンテナ１０１および無線信号処理部１０２とは別に、他のアンテナと他の無線信号処理部とを備えることになる。
【００５２】
ここで、「近距離通信」とは、最長で１００ｍ程度離れた他の機器との通信をいう。近距離通信としては、無線ＬＡＮによる通信、赤外線通信、Ｂｌｕｅｔｏｏｔｈ（登録商標）を用いた通信、可視光通信、Ｚｉｇｂｅｅ（登録商標）による通信、Ｗｉｂｒｅｅによる通信、ＵＷＢ（Ultra Wide Band）による通信などが挙げられる。なお、近距離通信の種類によってはアンテナが必要ない場合がある。この場合、携帯端末装置１００は、アンテナ１０１を備える必要がない。
【００５３】
制御部１０３は、携帯端末装置１００の動作を制御する。制御部１０３は、記憶装置１０６に格納されたプログラムをロードすることにより、携帯端末装置１００に当該プログラムに対応した動作を行わせる。制御部１０３は、たとえば、表示装置１０４に画像を表示させる。また、制御部１０３は、入力装置１０５を介して入力された指示に基づいた動作を携帯端末装置１００に実行させる。
【００５４】
表示装置１０４は、制御部１０３から画像データを受付けるとともに、当該画像データに基づく画像を表示面に表示する。表示装置１０４は、たとえば、液晶ディスプレイ、有機ＥＬ（Electro-Luminescence）ディスプレイである。入力装置１０５は、ユーザからの入力を受付ける。入力装置１０５は、当該受付けた入力データを、制御部１０３に送る。
【００５５】
記憶装置１０６は、各種のプログラム、当該プログラムを用いて作成されたファイル、携帯端末装置の識別情報（以下、「携帯端末ＩＤ」と称する）などを格納している。記憶装置１０６は、上記プログラムとして、文書を作成可能なアプリケーションプログラムを格納している。以下では、記憶装置１０６が、当該アプリケーションプログラムとして、エディタのプログラムを格納しているとして説明する。
【００５６】
携帯端末装置１００は、エディタを起動した状態にて、入力装置１０５を介した入力を受け付ける。携帯端末装置１００は、エディタを用いて作成されたファイルを、当該ファイルに作成日時を含めて記憶装置１０６に格納する。また、携帯端末装置１００は、作成されたファイルの一覧を表示装置１０４に表示する。携帯端末装置１００のユーザは、上記エディタを用いて、ユーザが記録しておきたい事項を記述したファイルを作成する作業を行なう。
【００５７】
携帯端末装置１００は、上記一覧を表示した状態で、入力装置１０５を介した入力に基づき少なくとも１つのファイルを選択する。携帯端末装置１００は、上記選択を行なった場合、選択されたファイルの内容を表示装置１０４に表示する。
【００５８】
携帯端末装置１００は、当該エディタで作成したファイルと携帯端末ＩＤと通知ＩＤとを、アンテナ１０１を介した近距離無線通信によって情報処理装置２００に送信する。つまり、携帯端末装置１００は、入力装置１０５を介して入力された情報と、携帯端末ＩＤと、通知ＩＤとを、情報処理装置２００に通知する。ここで、通知ＩＤとは、作成されたファイルを互いに識別するための情報である。
【００５９】
図４は、エディタの編集画面を示した図である。図４を参照して、携帯端末装置１００は、入力装置１０５を介して入力された情報を、表示装置１０４に表示する。
【００６０】
図５は、エディタにより作成されたファイルを一覧表示した状態を示した図である。図５を参照して、記憶装置１０６が、たとえば、エディタによって作成された３つのファイルを格納している場合、携帯端末装置１００は当該３つのファイルを一覧表示する。
【００６１】
なお、上記ファイルの送信は、携帯端末装置１００と情報処理装置２００との間で近距離が確立した場合に行なわれる。たとえば、情報処理装置２００が、当該ファイルを送信する指示を行なってもよい。あるいは、情報処理装置２００との近距離通信が確立した時点で、携帯端末装置１００が情報処理装置から上記のような指示を受けることなく、ファイルを送信する構成としてもよい。
【００６２】
図６は、情報処理装置２００のブロックを示した図である。図６を参照して、情報処理装置２００は、アンテナ２０１と、テレビチューナ２０２と、タイマ２０３と、アンテナ２０４と、無線信号処理部２０５と、表示装置２０６と、入力装置２０７と、記憶装置２０８と、制御部２１０とを備えている。制御部２１０は、表示制御部２１１と、第１判断部２１２と、格納処理部２１３と、読出処理部２１４と、第２判断部２１５とを備える。
【００６３】
アンテナ２０１は、デジタルテレビ放送を受信するアンテナである。テレビチューナ２０２は、デジタルテレビ放送を受信するための機器である。テレビチューナ２０２としては、４セグメントを用いる標準画質放送を受信するチューナや、１２セグメントを用いるハイビジョン放送の受信が可能なチューナを用いることができる。さらには、テレビチューナとしては、１セグメントを用いる放送を受信するチューナや、３セグメントを用いる放送を受信するチューナを用いてもよい。
【００６４】
テレビチューナ２０２は、アンテナ２０１を介して、選局したテレビ放送を受信する。テレビチューナ２０２は、受信したテレビ放送を表示制御部２１１に送る。また、テレビチューナ２０２は、アンテナ２０１を介して、テレビ放送の電波により送信される電子番組表ガイド（ＥＰＧ）を受信する。情報処理装置２００は、受信したＥＰＧを、記憶装置２０８に格納する。
【００６５】
このように、アンテナ２０１およびテレビチューナ２０２によって、情報処理装置２００は、テレビ放送およびＥＰＧを受信することができる。
【００６６】
タイマ２０３は、現在時刻を示す時刻情報を生成する。タイマ２０３は、生成した時刻情報を第２判断部２１５に送る。
【００６７】
アンテナ２０４は、無線信号の送信および受信に用いられる。無線信号処理部２０５は、アンテナ２０４を介して受信した無線信号に対して信号処理を行なう。無線信号処理部２０５は、当該信号処理後のデータを第１判断部２１２に送る。また、無線信号処理部２０５は、制御部２１０から受け付けたデータに対して信号処理を行なう。無線信号処理部２０５は、当該信号処理後のデータをアンテナ２０４を介して、他の装置に送信する。本実施の形態では、情報処理装置２００は、アンテナ２０４および無線信号処理部２０５により、少なくとも携帯端末装置１００と通信を行なうものとする。
【００６８】
このように、アンテナ２０４およびテレビチューナ２０５によって、情報処理装置２００は、携帯端末装置１００から後述する情報を受信することができる。
【００６９】
以下では、アンテナ２０４および無線信号処理部２０５が近距離通信に用いられる部材であるとして説明する。なお、情報処理装置２００は、当該近距離通信以外の通信を行なう構成を備えていてもよい。
【００７０】
情報処理装置２００と携帯端末装置１００とが近距離通信によって接続されている場合、情報処理装置２００は、アンテナ２０４および無線信号処理部２０５によって、携帯端末装置１００から、上記エディタで作成したファイルと携帯端末ＩＤと通知ＩＤとを受信する。なお、当該ファイルや携帯端末ＩＤを受信するトリガとしては、情報処理装置２００と携帯端末装置１００と間で近距離通信が確立したこととしてもよい。あるいは、上記トリガとしては、情報処理装置２００と携帯端末装置１００と間で近距離通信が確立したことに加え、携帯端末装置１００がユーザから入力装置１０５を介して予め定められた操作入力を受け付けたこととしてもよい。
【００７１】
表示装置２０６は、表示制御部２１１から画像データを受付けるとともに、当該画像データに基づく画像を表示面に表示する。表示装置２０６は、たとえば、液晶ディスプレイ、有機ＥＬディスプレイである。入力装置２０７は、ユーザからの入力を受付ける。入力装置２０７は、当該受付けた入力データを、制御部２１０に送る。記憶装置２０８は、各種のプログラムや当該プログラムを用いて作成されたファイルなどを格納している。記憶装置２０８に格納されるデータについては後述する。
【００７２】
次に、制御部２１０に含まれる各機能ブロックについて説明する。第１判断部２１２は、情報処理装置２００が携帯端末装置１００と近距離通信によって接続されているか否かを判断する。詳しくは、第１判断部２１２は、携帯端末装置１００との間で制御信号の送受信が行なえるか否かに基づき、携帯端末装置１００と近距離通信によるデータ通信が可能な状態にあるか否かを判断する。第１判断部２１２は、判断結果を表示制御部２１１に送る。また、第１判断部２１２は、携帯端末装置１００と近距離通信が可能な状態にあると判断した場合、携帯端末ＩＤも表示制御部２１１に送る。
【００７３】
格納処理部２１３は、携帯端末ＩＤおよび通知ＩＤとを、上記ファイルに関連付けて記憶装置２０８に格納する。より具体的には、格納処理部２１３は、携帯端末ＩＤおよび通知ＩＤとを、上記ファイルに記録された情報（以下、「通知情報」と称する）に関連付けて、記憶装置２０８に格納する。また、格納処理部２１３は、ＥＰＧを記憶装置２０８に格納する。読出処理部２１４は、表示制御部２１１からの指示に基づき、記憶装置２０８に格納されたデータを読み出す。読出処理部２１４は、読み出したデータを表示制御部２１１に送る。
【００７４】
第２判断部２１５は、前記テレビ放送の内容が予め定められた第１条件を満たしたか否かを判断する。詳しくは、第２判断部２１５は、表示装置２０６に表示されているテレビ放送の番組が終了したか否かを判断する。テレビ放送の番組が終了したか否かを判断方法として、たとえば、第２判断部２１５は、ＥＰＧに基づき、現在の時刻が予め定められた条件を満たしたか否かを判断する。当該条件とは、たとえば、表示装置２０６に表示されているテレビ放送の番組が終了する時刻である。
【００７５】
ここで、テレビ放送の番組の終了とは、「シリーズ化された番組の最終話が終了したこと」を意味するのではなく、当日の番組の放送が終了したことを意味する。すなわち、第２判断部２１５は、番組が終了したか否かを、上記時刻情報と、記憶装置２０８に予め格納されたＥＰＧとに基づいて判断する。第２判断部２１５は、判断結果を表示制御部２１１に送る。
【００７６】
表示制御部２１１は、テレビチューナ２０２から送られてきたテレビ放送を、表示装置２０６に表示させる。また、表示制御部２１１は、第１判断部２１２から、上記判断結果と携帯端末ＩＤとを受け付ける。さらに、表示制御部２１１は、第２判断部２１５から上記判断結果を受け付ける。また、表示制御部２１１は、読出処理部２１４が記憶装置２０８から読み出したデータを受け付ける。なお、表示制御部２１１が読出処理部２１４に出す指示の一部は、入力装置２０７を介したユーザからの指示である。
【００７７】
表示制御部２１１は、テレビ放送を表示装置２０６に表示させている状態において、第１判断部２１２から上記判断結果と携帯端末ＩＤとを受け付けると、以下の処理を行なう。すなわち、表示制御部２１１は、当該携帯端末ＩＤに関連付けて記憶装置２０８に格納された通知情報を、記憶装置２０８から読み出す指示を読出処理部２１４に送る。表示制御部２１１は、当該通知情報を一時的に保持する。さらに、表示制御部２１１は、上記判断結果として、第２判断部２１５から番組が終了したことを示す情報を受けた場合、当該通知情報に基づく画像を表示装置２０６に表示させる。
【００７８】
なお、表示制御部２１１は、入力装置２０７からの指示に基づき、当該通知情報に基づく画像の表示のタイミングや、表示の有無を制御する。当該制御の詳細については、後述する。
【００７９】
このように、情報処理装置２００が、携帯端末装置１００と接続していると判断し、かつ番組が終了したと判断した場合、表示制御部２１１は、読出処理部２１４が読み出したファイルに基づく画像を表示装置２０６に表示させる。
【００８０】
なお、情報処理装置２００は、デジタルテレビ放送を受信する構成として説明したが、情報処理装置２００が、テレビ放送としてアナログテレビ放送のみを受信する構成であってもよい。
【００８１】
図７は、記憶装置２０８に格納されるファイル２８１の概要を示した図である。図７を参照して、ファイル２８１は、携帯端末ＩＤと、通知ＩＤと、確認済みフラグと、通知情報とが関連付けられている。なお、携帯端末ＩＤと、通知ＩＤと、確認済みフラグと、通知情報とは、携帯端末装置１００から受信した情報である。
【００８２】
ファイル２８１においては、携帯端末ＩＤが「００」の携帯端末装置と、携帯端末ＩＤが「０１」の携帯端末装置と、携帯端末ＩＤが「０２」の携帯端末装置とから受信した通知情報が記録されている。確認済みフラグは、表示制御部２１１が通知情報を表示装置２０６に表示させたか否かを識別するためのフラグである。表示制御部２１１は、通知情報を表示装置２０６に表示させた場合、「０」から「１」に値を変更する。
【００８３】
図８は、テレビ放送を表示装置２０６に表示させている状態において、第１判断部２１２から上記判断結果と携帯端末ＩＤとを受け付た際に、表示装置２０６において表示される画面である。詳しくは、当該携帯端末ＩＤに関連付けられた確認済みフラグの少なくとも１つが「０」である場合に、表示装置２０６において表示される画像である。なお、当該画面を表示するために表示データは、予め記憶装置２０８に格納されている。なお、以下では、確認済みフラグが「０」である確認済みフラグに関連付けられた通知情報を、「確認済みフラグが「０」の通知情報」と称する。
【００８４】
図８を参照して、表示制御部２１１は、確認済みフラグが「０」の通知情報が存在することを示す画像２６１を表示装置２０６に表示させる。さらに、表示制御部２１１は、当該通知情報に基づく画像を表示装置２０６に表示させるか否かの選択を入力装置２０７を介して受け付けるためのオブジェクト２６１ａ，２６１ｂを表示する。なお、表示制御部２１１は、表示装置２０６の表示画面のうち画像２６１の以外の領域に、テレビ放送を表示し続けてもよい。
【００８５】
図９は、図８の状態において入力装置２０７を介してオブジェクト２６１ａが選択された際に、表示装置２０６において表示される画面である。図９を参照して、表示制御部２１１は、確認済みフラグが「０」である確認済みフラグに関連付けられた通知情報の一覧表を示す画像２６２を表示装置２０６に表示させる。画像２６２は、複数の選択項目２６２１，２６２２，２６２３を含む。各選択項目２６２１，２６２２，２６２３は、各通知情報の一部を示した情報を含んでいる。
【００８６】
さらに、表示制御部２１１は、画面をスクロールするためのスライダと、一覧表の中の１つの選択項目を選択するためのオブジェクト２６２ａと、表示装置２０６の表示内容をテレビ放送に戻すオブジェクト２６２ｂとを表示装置２０６に表示する。なお、表示制御部２１１は、表示装置２０６の表示画面のうち画像２６２の以外の領域に、テレビ放送を表示し続けてもよい。
【００８７】
図１０は、図９の状態において入力装置２０７を介して選択項目２６２１が選択された際に、表示装置２０６において表示される画面である。図１０を参照して、表示制御部２１１は、選択項目２６２１に対応した通知情報に基づく画像２６３を表示装置２０６に表示させる。さらに、画像２６３は、オブジェクト２６２ａと、オブジェクト２６２ｂとを含む。
【００８８】
ユーザが入力装置２０７を介してオブジェクト２６２ａを選択した場合、表示制御部２１１は、確認済みフラグを「０」から「１」に変更する。さらに、表示制御部２１１は、表示装置２０６の表示内容をテレビ放送に戻す処理を行なう。ユーザが入力装置２０７を介してオブジェクト２６２ｂを選択した場合、表示制御部２１１は、確認済みフラグを「０」のままとし、表示装置２０６の表示内容をテレビ放送に戻す処理を行なう。
【００８９】
図１１は、情報処理装置２００における処理の流れを示したフローチャートである。具体的には、図１１は、情報処理装置２００が携帯端末装置１００から、上記ファイルや携帯端末ＩＤなどを受信する際のフローチャートである。
【００９０】
図１１を参照して、ステップＳ２において、情報処理装置２００は、近距離通信によって携帯端末装置１００と接続されているか否かを判断する。接続されていると判断された場合（ステップＳ２においてＹＥＳ）、情報処理装置２００は、携帯端末装置１００から、上記エディタで作成したファイルと携帯端末ＩＤと通知ＩＤとを受信する。一方、接続されていないと判断された場合（ステップＳ２においてＮＯ）、情報処理装置２００は、処理をステップＳ２に戻す。ステップＳ６において、情報処理装置２００は、ステップＳ４において受信した各データを記憶装置２０８に格納する。
【００９１】
図１２は、情報処理装置２００における処理の流れを示したフローチャートである。具体的には、図１２は、情報処理装置２００が、記憶装置２０８に格納した通知情報を表示する際のフローチャートである。
【００９２】
ステップＳ１２において、情報処理装置２００は、近距離通信によって携帯端末装置１００と接続されているか否かを判断する。接続されていると判断された場合（ステップＳ１２においてＹＥＳ）、ステップＳ１４において、情報処理装置２００は、接続されている携帯端末装置１００の携帯端末ＩＤを判別する。接続されていないと判断された場合（ステップＳ１２においてＮＯ）、情報処理装置２００は、処理をステップＳ１２に戻す。
【００９３】
ステップＳ１６において、情報処理装置２００は、上記判別した携帯端末ＩＤと確認済みフラグとに基づき、通知すべき通知情報が記憶装置２０８のファイル２８１に存在するか否かを判断する。通知すべき通知情報が存在すると判断された場合（ステップＳ１６においてＹＥＳ）、ステップＳ１８において、情報処理装置２００は、時刻情報とＥＰＧとに基づいて、番組が終了したか否かを判断する。一方、通知すべき通知情報が存在しないと判断された場合（ステップＳ１６においてＮＯ）、情報処理装置２００は、一連の処理を終了する。
【００９４】
情報処理装置２００は、番組が終了したと判断した場合（ステップＳ１８においてＹＥＳ）、ステップＳ２０において、入力装置２０７からの入力に基づき、通知情報を表示装置２０６に表示する。情報処理装置２００は、番組が終了していないと判断した場合（ステップＳ１８においてＮＯ）、処理をステップＳ１８に戻す。
【００９５】
以上のように、情報処理装置２００は、複数の携帯端末装置１００から受信した通知情報を記憶装置２０８に格納する。また、情報処理装置２００は、テレビ放送を表示している際に、複数の携帯端末装置１００のうち１つの携帯端末装置１００と近距離通信によって接続された場合、以下の処理を行なう。すなわち、情報処理装置２００は、記憶装置２０８に格納した通知情報であって、上記近距離通信によって接続している携帯端末装置１００のＩＤに対応した、確認済みフラグが「０」の通知情報を表示装置２０６に表示する。また、情報処理装置２００は、当該通知情報を、番組が終了した後に表示する。
【００９６】
したがって、情報処理装置２００は、テレビ放送を受信している際に、ユーザが視認できるタイミングでユーザが必要とする情報を表示できる。また、情報処理装置２００は、テレビ放送を受信している際に、番組の視聴を妨げないタイミングでユーザが必要とする情報を表示できる。
【００９７】
情報処理装置２００の他の効果として、以下のような効果が挙げられる。情報処理装置２００は、番組が放送されていない隙間の時間を判断して情報を表示することができる。また、情報処理装置２００がユーザにとって過剰と思われる回数にわたり、ユーザに情報を提示してしまうといった事態を防止することができる。当該事態の発生を防止できるため、ユーザが情報処理装置２００による情報の提示（通知）を無視することに起因する、ユーザによる情報の確認の欠如を低減できる。
【００９８】
このように、情報処理装置２００が情報を過剰に提示しないことにより、情報提示のタイミングの適正化を図ることができる。その結果、情報処理装置２００は、情報をユーザに適切に伝えることができる。
【００９９】
＜変形例＞
（１）上記においては、情報処理装置２００は、番組が終了したことをトリガとして、通知情報を表示装置２０６に表示した。しかしながら、テレビ放送におけるコマーシャルが表示装置２０６に表示されたこと（すなわち、放送内容が番組からコマーシャルに切換わったこと）をトリガとして、通知情報を表示装置２０６に表示させるように、情報処理装置２００を構成してもよい。なお、コマーシャルが表示されたか否かの判断は、たとえば、音声出力がステレオからモノラルに切換わったことに基づき行なえばよい。
【０１００】
（２）上記においては、携帯端末装置１００は、近距離無線通信によって、上記エディタで作成したファイルと携帯端末ＩＤと通知ＩＤとをを情報処理装置２００に送信する構成を例に挙げた。しかしながら、当該ファイルの送信に関しては近距離無線通信以外の通信を用いてもよい。たとえば、近距離無線通信の代わりに、サーバ装置（図示せず）を介したネットワーク通信を用いてもよい。当該ネットワーク通信としては、ブロードバンド網や無線通信網を介した通信が挙げられる。あるいは、近距離無線通信の変わりに、有線による通信を用いてもよい。
【０１０１】
（３）通知情報の表示に際して情報処理装置２００が携帯端末装置１００の携帯端末ＩＤを判別できない場合には、携帯端末ＩＤに関わらず、確認済みフラグが「０」の通知情報の全てを一覧表として表示するように、情報処理装置２００を構成してもよい。
【０１０２】
（４）携帯端末装置１００は、上記ファイル等を情報処理装置２００に送信した場合、ユーザからの当該ファイルの削除指示を受け付けることなく、当該ファイルを記憶装置１０６から削除する処理を行なってもよい。あるいは、上記ファイル等を情報処理装置２００に送信してから予め定められた期間経過後、携帯端末装置１００は、当該ファイルを記憶装置１０６から削除する処理を行なってもよい。
【０１０３】
また、情報処理装置２００は、確認済みフラグを「１」に変更した場合、ユーザからの削除指示を受け付けることなく、当該確認済みフラグに対応した通知情報を記憶装置２０８から削除してもよい。あるいは、確認済みフラグを「１」に変更してから予め定められた期間経過後、情報処理装置２００は、当該通知情報を記憶装置２０８から削除する処理を行なってもよい。
【０１０４】
（５）上記においては、図１０に示すオブジェクト２６３ａを選択する処理を、ユーザが入力装置２０７を介して行わない限り、情報処理装置２００は、番組が終了する度に図８に示す画像２６１を表示装置２０６に表示する。以下では、番組が終了する度に画像２６１が表示されることを防止可能な構成について、図１３から図１６に基づいて説明する。
【０１０５】
図１３は、情報処理装置２００Ａのブロックを示した図である。図１３を参照して、情報処理装置２００Ａは、アンテナ２０１と、テレビチューナ２０２と、タイマ２０３と、アンテナ２０４と、無線信号処理部２０５と、表示装置２０６と、入力装置２０７と、記憶装置２０８Ａと、制御部２１０Ａとを備えている。制御部２１０Ａは、表示制御部２１１Ａと、第１判断部２１２と、格納処理部２１３と、読出処理部２１４Ａと、第２判断部２１５と、第３判断部２１６とを備える。
【０１０６】
情報処理装置２００Ａは、第３判断部２１６を備える点において、第３判断部２１６を備えていない情報処理装置２００とは異なる。以下では、表示制御部２１１Ａ、読出処理部２１４Ａ、および記憶装置２０８Ａについては、それぞれ、表示制御部２１１、読出処理部２１４、記憶装置２０８と異なる点のみ説明する。
【０１０７】
第３判断部２１６は、通知情報に基づく画像を表示装置２０６に表示させるか否かの選択を受け付けないことを示す指示を受け付けたことに基づき、予め定められた第２条件を満たしたか否かを判断する。具体的には、第３判断部２１６は、図８に示すオブジェクト２６１ｂが選択されたことに基づき、予め定められた第２条件を満たしたか否かを判断する。なお、第２条件を記したファイル２８３は、記憶装置２０８に予め格納されている。
【０１０８】
そして、携帯端末装置１００と接続されていると判断され、かつ上述した第１条件を満たしたと判断された場合において、上記第２条件を満たしたときに、表示制御部２１１Ａは、画像２６１（図８参照）を再度、表示装置２０６に表示させる。
【０１０９】
記憶装置２０８Ａは、上記ファイル２８３の他に、ファイル２８１の代わりにファイル２８２を格納している。
【０１１０】
図１４は、ファイル２８２の概要を示した図である。図１４を参照して、ファイル２８２は、携帯端末ＩＤと、通知ＩＤと、確認済みフラグと、通知時刻の情報と、通知情報とが関連付けられている。ファイル２８２は、通知時刻の情報を含む点において、通知時刻の情報を含まないファイル２８１と異なる。通知時刻は、たとえば、画像２６１（図８参照）を直近に表示した時刻である。当該通知時刻の情報は、タイマ２０３の時刻情報に基づいて、表示制御部２１１によってファイル２８２に記録される。
【０１１１】
図１５は、ファイル２８３の概要を示した図である。図１５を参照して、ファイル２８３には、表示条件として通知間隔が規定されている。図１５の例では、通知間隔が６０分に設定されている。この場合、画像２６１を直近に表示した時刻から６０分以上経過していることが、上記第２条件となる。
【０１１２】
したがって、情報処理装置２００は、番組が終了した場合であっても、画像２６１を直近に表示した時刻から６０分以上経過していない場合には、画像２６１を再度表示することはない。それゆえ、情報処理装置２００は、番組が終了する度に画像２６１が表示されることを防止できる。言い換えると、情報処理装置２００は、画像２６１が短い時間間隔で表示されてしまうことを防止できる。その結果、情報処理装置２００は、ユーザにとって使用勝手に優れた装置となる。
【０１１３】
図１６は、ファイル２８３の他の概要を示した図である。図１６を参照して、ファイル２８３には、表示条件として通知時間帯が規定されている。図１６の例では、通知時間帯が１９時から２２時の間に設定されている。この場合、１９時から２２時の間の時刻であることが、上記第２条件となる。
【０１１４】
したがって、情報処理装置２００は、番組が終了した場合であっても、１９時から２２時の間の時刻でない場合には、画像２６１を再度表示することはない。それゆえ、情報処理装置２００は、番組が終了する度に画像２６１が表示されることを防止できる。言い換えれば、情報処理装置２００は、画像２６１が頻繁に表示されてしまうことを防止できる。その結果、情報処理装置２００は、ユーザにとって使用勝手に優れた装置となる。
【０１１５】
なお、テレビ放送におけるコマーシャルが表示装置２０６に表示されたことをトリガとした場合についても、同様である。
【０１１６】
（６）上記においては、表示制御部２１１が記憶装置２０８に格納された通知情報を表示装置２０６に表示する構成について説明した。以下では、表示制御部がネットワークを介して取得した情報を表示する構成について、図１７から図１９に基づき説明する。
【０１１７】
図１７は、情報処理装置２００Ｂのブロックを示した図である。図１７を参照して、情報処理装置２００Ｂは、アンテナ２０１と、テレビチューナ２０２と、タイマ２０３と、アンテナ２０４と、無線信号処理部２０５と、表示装置２０６と、入力装置２０７と、記憶装置２０８Ｂと、制御部２１０Ｂとを備えている。制御部２１０Ｂは、表示制御部２１１Ｂと、第１判断部２１２と、格納処理部２１３と、読出処理部２１４Ｂと、第２判断部２１５と、取得部２１７とを備える。
【０１１８】
情報処理装置２００Ｂは、取得部２１７を備える点において、取得部２１７を備えていない情報処理装置２００とは異なる。以下では、表示制御部２１１Ｂ、読出処理部２１４Ｂ、および記憶装置２０８Ｂについては、それぞれ、表示制御部２１１、読出処理部２１４、記憶装置２０８と異なる点のみ説明する。
【０１１９】
取得部２１７は、ネットワークを介して、記憶装置２０８Ｂに格納された通知情報に基づいた情報を取得する。ネットワークを介して取得部２１７が情報を取得した場合、表示制御部２１１Ｂは、通知情報に基づく画像として上記取得した情報に基づく画像を、表示装置２０６に表示させる。記憶装置２０８Ｂは、ファイル２８１の代わりにファイル２８４を格納している。
【０１２０】
図１８は、ファイル２８４の概要を示した図である。図１８を参照して、ファイル２８４は、携帯端末ＩＤと、通知ＩＤと、確認済みフラグと、動作コマンドと、通知情報とが関連付けられている。ファイル２８４は、動作コマンドを含む点において、動作コマンドを含まないファイル２８１と異なる。情報処理装置２００Ｂにおいては、動作コマンドとして、「Relation」、「Web」、「ToDo」などが予め規定されている。
【０１２１】
なお、動作コマンドと通知情報との対応付けは、携帯端末装置１００にて行なわれる。具体的には、ユーザが、入力装置１０５を介して、予め規定された複数の動作コマンドのうちから動作コマンドを１つ選択する。携帯端末装置１００は、当該選択された動作コマンドと、別途入力された通知情報とを対応付けて記憶装置１０６に格納する。
【０１２２】
図１９は、動作コマンドの概要を示した図である。図１９を参照して、「Relation」は、通知情報をキーワードとして用い、ネットワークを介して外部から当該キーワードに関連する関連情報を取得するコマンドである。「Web」は、通知情報をアドレスとして用い、インターネットを介して外部から当該アドレスによって特定されるＷｅｂページを取得するコマンドである。なお、Ｗｅｂページとは、ＷＷＷ（World Wide Web）システムを用いてインターネット上で公開されている文書である。「ToDo」は、メモを作成するとともに、メモに日時のデータをつけるコマンドである。さらに、「ToDo」を、ユーザがテレビを消す指示をテレビに与えたときに、メモとして記載された翌日の予定を表示するコマンドとしてもよい。また、「ToDo」を、通知情報に記された日時および情報を用いて、当該時刻と当該情報とを表示するコマンドとしてもよい。「Photo」は、通知情報に記された画像データを表示するためのコマンドである。
【０１２３】
再び、図１８を参照して、動作コマンドが「Relation」であり、かつ通知内容が「炎色反応」である場合、情報処理装置２００Ｂは、たとえばインターネットを介して炎色反応に関連する関連情報を取得する。動作コマンドが「Web」であり、かつ通知内容が「http://www.〜〜〜」である場合、情報処理装置２００Ｂは、インターネットを介して外部からアドレス「http://www.〜〜〜」によって特定されるＷｅｂページを取得する。
【０１２４】
以上のように、情報処理装置２００Ｂにおいても、テレビ放送を受信している際に、ユーザが視認できるタイミングでユーザが必要とする情報を表示できる。また、情報処理装置２００は、テレビ放送を受信している際に、番組の視聴を妨げないタイミングでユーザが必要とする情報を表示できる。
【０１２５】
なお、テレビ放送におけるコマーシャルが表示装置２０６に表示されたことをトリガとした場合についても、同様である。
【０１２６】
（７）また、第１判断部２１２による判断と第２判断部２１５による判断に関わらず、取得部２１７が取得した情報に基づく画像を表示装置２０６に表示させるように、情報処理装置２００Ｂを構成してもよい。
【０１２７】
さらに、アンテナ２０１およびテレビチューナ２０２を介して番組情報を新たに受信した場合、第１判断部２１２による判断と第２判断部２１５による判断に関わらず、後述する情報を表示するように、情報処理装置２００Ｂを構成としてもよい。なお、以下では、情報処理装置２００が、携帯端末装置１００から「TV Guide Seek」といった動作コマンドと対応付けられた通知情報（たとえば、「お笑い」）を受け付けた場合について説明する。
【０１２８】
情報処理装置２００は、最新の番組情報ガイドを受信した場合、通知情報（お笑い）をキーワードとして、番組情報ガイドから当該キーワードを含む放送番組を抽出する。情報処理装置２００は、第１判断部２１２による判断と第２判断部２１５による判断に関わらず、抽出した放送番組を示す情報を表示装置２０６に表示する。つまり、情報処理装置２００は、番組を表示している最中であっても、上記抽出した放送番組を示す情報を表示装置２０６に表示する。情報処理装置２００を当該構成とすることにより、更新された情報に基づく情報をユーザに即時に提供することができる。
【０１２９】
なお、抽出した放送番組を示す情報を表示するタイミングは、上記に限定されず、たとえば、番組が終了した直後であってもよい。あるいは、抽出した放送番組を示す情報を表示するタイミングは、コマーシャルが表示された直後であってもよい。
【０１３０】
〔実施の形態２〕
本発明に係る通信システムの他の実施態様について、図２０から図２２を参照して説明すると以下のとおりである。
【０１３１】
図２０は、通信システム１Ａの概略構成を示した図である。図２０を参照して、通信システム１Ａは、携帯端末装置１００と、情報処理装置１２００とを含む。なお、通信システム１Ａは、図示していないが、複数の携帯端末装置を含む。
【０１３２】
情報処理装置１２００は、携帯端末装置１００との間で通信を行なう。情報処理装置１２００は、表示装置２０６と入力装置２０７とを備える。実施の形態１における情報処理装置２００が、番組の終了やコマーシャルの表示をトリガーとして通知情報を表示装置２０６に表示するのに対し、情報処理装置１２００が、ユーザから入力装置２０７を介して予め定められた指示を受け付けたことをトリガとして通知情報を表示装置２０６に表示する点において、情報処理装置１２００は情報処理装置２００と異なる。
【０１３３】
図２１は、情報処理装置１２００のブロック図である。図２１を参照して、情報処理装置１２００は、アンテナ２０１と、テレビチューナ２０２と、タイマ２０３と、アンテナ２０４と、無線信号処理部２０５と、表示装置２０６と、入力装置２０７と、記憶装置２０８と、制御部１２１０とを備えている。制御部１２１０は、表示制御部１２１１と、第１判断部２１２と、格納処理部２１３と、読出処理部１２１４と、第２判断部１２１５とを備える。
【０１３４】
以下では、表示制御部１２１１、読出処理部１２１４、および第２判断部１２１５については、それぞれ、実施の形態１における、表示制御部２１１、読出処理部２１４、第２判断部２１５と異なる点のみ説明する。
【０１３５】
第２判断部１２１５は、入力装置２０７を介して予め定められた指示を受け付けたか否かを判断する。以下では、上記予め定められて指示として、テレビのチャンネルの切換え指示を例に挙げて説明する。
【０１３６】
表示制御部１２１１は、テレビ放送を表示装置２０６に表示させている状態において、第１判断部２１２から上記判断結果と携帯端末ＩＤとを受け付けると、以下の処理を行なう。すなわち、表示制御部１２１１は、当該携帯端末ＩＤに関連付けて記憶装置２０８に格納された通知情報を、記憶装置２０８から読み出す指示を読出処理部１２１４に送る。表示制御部１２１１は、当該通知情報を一時的に保持する。さらに、表示制御部１２１１は、上記判断結果として、第２判断部１２１５からチャンネルの切換え指示を受け付けたことを示す情報を受けた場合、当該通知情報に基づく画像を表示装置２０６に表示させる。
【０１３７】
このように、情報処理装置１２００が、携帯端末装置１００と接続されていると判断し、かつチャンネルが切換わったと判断した場合、表示制御部１２１１は、読出処理部１２１４が読み出したファイルに基づく画像を表示装置２０６に表示させる。
【０１３８】
図２２は、情報処理装置１２００における処理の流れを示したフローチャートである。具体的には、図２２は、情報処理装置１２００が、記憶装置２０８に格納した通知情報を表示する際のフローチャートである。
【０１３９】
ステップＳ３２において、情報処理装置１２００は、近距離通信によって携帯端末装置１００と接続されているか否かを判断する。接続されていると判断された場合（ステップＳ３２においてＹＥＳ）、ステップＳ３４において、情報処理装置１２００は、接続されている携帯端末装置１００の携帯端末ＩＤを判別する。接続されていないと判断された場合（ステップＳ３２においてＮＯ）、情報処理装置１２００は、処理をステップＳ３２に戻す。
【０１４０】
ステップＳ３６において、情報処理装置１２００は、上記判別した携帯端末ＩＤと確認済みフラグとに基づき、通知すべき通知情報が記憶装置２０８のファイル２８１に存在するか否かを判断する。通知すべき通知情報が存在すると判断された場合（ステップＳ３６においてＹＥＳ）、ステップＳ３８において、情報処理装置１２００は、チャンネルを切換える指示を受け付けたか否かを判断する。一方、通知すべき通知情報が存在しないと判断された場合（ステップＳ３６においてＮＯ）、情報処理装置１２００は、一連の処理を終了する。
【０１４１】
情報処理装置１２００は、チャンネルを切換える指示を受け付けたと判断した場合（ステップＳ３８においてＹＥＳ）、ステップＳ４０において、入力装置２０７からの入力に基づき、通知情報を表示装置２０６に表示する。情報処理装置１２００は、チャンネルを切換える指示を受け付けていないと判断した場合（ステップＳ３８においてＮＯ）、処理をステップＳ３８に戻す。
【０１４２】
以上のように、情報処理装置１２００は、複数の携帯端末装置１００から受信した通知情報を記憶装置２０８に格納する。また、情報処理装置１２００は、テレビ放送を表示している際に、複数の携帯端末装置１００のうち１つの携帯端末装置１００と近距離通信によって接続された場合、以下の処理を行なう。すなわち、情報処理装置１２００は、記憶装置２０８に格納した通知情報であって、上記近距離通信によって接続している携帯端末装置１００のＩＤに対応した、確認済みフラグが「０」の通知情報を表示装置２０６に表示する。また、情報処理装置１２００は、チャンネルを切換える指示を受け付けると、当該通知情報を表示する。
【０１４３】
したがって、情報処理装置１２００は、テレビ放送を受信している際に、ユーザが視認できるタイミングでユーザが必要とする情報を表示できる。
【０１４４】
＜変形例＞
上記においては、上記予め定められて指示として、テレビのチャンネルの切換え指示を例に挙げて説明したが、上記予め定められた指示は、チャンネルの切換え指示に限定されるものではない。
【０１４５】
たとえば、上記予め定められた指示は、情報処理装置２００の電源をＯＮとするための指示であってもよい。つまり、ユーザが、情報処理装置２００の電源投入スイッチをＯＮとしたことに基づき、通知情報を表示してもよい。
【０１４６】
あるいは、上記予め定められた指示は、情報処理装置の電源をＯＦＦとするための指示であってもよい。なお、情報処理装置２００は、電源をＯＦＦするための指示を受け付けた場合、即座に情報処理装置２００の電源をＯＦＦすることなく、予め定められた時間、電源をＯＮ状態とする。情報処理装置２００は、当該予め定められた時間において、通知情報を表示する。なお、予め定められた時間とは、たとえば、オブジェクト２６１ｂ（図８参照）、オブジェクト２６２ｂ（図９参照）、またはオブジェクト２６３ｂ（図１０参照）が選択されるまでの時間とである。あるいは、予め定められた時間とは、一定の時間（たとえば、６０秒）である。なお、当該一定の時間は、入力装置２０７を介した入力によって設定可能とすることが好ましい。
【０１４７】
＜その他＞
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４８】
１  通信システム、１Ａ  通信システム、１００  携帯端末装置、１０１  アンテナ、１０２  無線信号処理部、１０３  制御部、１０４  表示装置、１０５  入力装置、１０６  記憶装置、２００  情報処理装置、２００Ａ  情報処理装置、２００Ｂ  情報処理装置、２０１  アンテナ、２０２  テレビチューナ、２０３  タイマ、２０４  アンテナ、２０５  無線信号処理部、２０６  表示装置、２０７  入力装置、２０８  記憶装置、２０８Ａ  記憶装置、２０８Ｂ  記憶装置、２１０  制御部、２１０Ａ  制御部、２１０Ｂ  制御部、２１１  表示制御部、２１１Ａ  表示制御部、２１１Ｂ  表示制御部、２１２  第１判断部、２１３  格納処理部、２１４  読出処理部、２１４Ａ  読出処理部、２１４Ｂ  読出処理部、２１５  第２判断部、２１６  第３判断部、２１７  取得部、１２００  情報処理装置、１２１０  制御部、１２１１  表示制御部、１２１４  読出処理部、１２１５  判断部。
【図１】
2010268297.tif 000003
【図２】
2010268297.tif 000004
【図３】
2010268297.tif 000005
【図４】
2010268297.tif 000006
【図５】
2010268297.tif 000007
【図６】
2010268297.tif 000008
【図７】
2010268297.tif 000009
【図８】
2010268297.tif 000010
【図９】
2010268297.tif 000011
【図１０】
2010268297.tif 000012
【図１１】
2010268297.tif 000013
【図１２】
2010268297.tif 000014
【図１３】
2010268297.tif 000015
【図１４】
2010268297.tif 000016
【図１５】
2010268297.tif 000017
【図１６】
2010268297.tif 000018
【図１７】
2010268297.tif 000019
【図１８】
2010268297.tif 000020
【図１９】
2010268297.tif 000021
【図２０】
2010268297.tif 000022
【図２１】
2010268297.tif 000023
【図２２】
2010268297.tif 000024